(57)【要約】【課題】蓄熱効率の高効率化を図ることにより省エネルギー効果の向上を図ることができる内装材を提供すること。【解決手段】建物の室内側の表面に内装仕上げ材１２が複数層塗られた内装材１におい、複数層の内装仕上げ材１２のうち、最も室内側の仕上げ層１２３のみに蓄熱粒子１２３ｂを含有させた。【選択図】図１
2007100335.tif 000002
【特許請求の範囲】
【請求項１】
室内側の表面に複数層に重ねて塗られた内装仕上げ材を有する内装材であって、
前記複数層の内装仕上げ材のうち、最も室内側の層である表層のみに蓄熱粒子が含有されていることを特徴とする内装材。
【請求項２】
前記蓄熱粒子が、前記表層の室内側表面に露出した状態で含有されていることを特徴とする請求項１に記載の内装材。
【請求項３】
前記蓄熱粒子が混入された塗料を前記表層に吹き付けたことを特徴とする請求項２に記載の内装材。
【発明の詳細な説明】
【技術分野】
【０００１】
本発明は、建物の壁あるいは天井などに用いられる内装材に関し、特に、蓄熱粒子が含まれた内装材に関する。
【背景技術】
【０００２】
従来、蓄熱材や調湿材を有した内装材が、例えば、特許文献１および特許文献２などで知られている。
【０００３】
これら特許文献１，２に記載された技術では、蓄熱材の潜熱蓄熱溶解時の漏洩防止用容器を必要としている。そこで、内装材に、潜熱蓄熱材を微粒子に封止した蓄熱粒子を含有させることで漏洩防止用容器を不要とする内装材が知られている（特許文献３参照）。
【特許文献１】特開平１−１１４６３２号公報
【特許文献２】特開平１−１６７５３７号公報
【特許文献３】特開２００１−１４０４３７号公報
【発明の開示】
【発明が解決しようとする課題】
【０００４】
上述の特許文献３に記載の技術では、蓄熱粒子が、内装板材や内装シート、あるいは内装仕上げ材（塗り壁材）などに含有されており、漏洩防止用容器が不要となり、内装材の軽量化を図ることができる。
【０００５】
しかしながら、内装材に蓄熱機能を追加する分だけコスト増になるため、このコスト増を省エネルギーにより回収することが望まれる。
【０００６】
そこで、本発明では、蓄熱効率の高効率化を図ることにより省エネルギー効果の向上を図ることができる内装材を提供することを主たる目的とする。
【課題を解決するための手段】
【０００７】
本発明は、上述事情に鑑みなされたものであって、請求項１に記載の発明は、室内側の表面に複数層に重ねて塗られた内装仕上げ材を有する内装材であって、
前記複数層の内装仕上げ材のうち、最も室内側の層である表層のみに蓄熱粒子が含有されていることを特徴とする。
【０００８】
請求項２に記載の発明は、請求項１に記載の内装材において、前記蓄熱粒子が、前記表層の室内側表面に露出した状態で含有されていることを特徴とする。
【０００９】
請求項３に記載の発明は、請求項２に記載の内装材において、前記蓄熱粒子が混入された塗料を前記表層に吹き付けたことを特徴とする。
【発明の効果】
【００１０】
請求項１に記載の内装材にあっては、内装材の室内側表面に複数層に塗られた内装仕上げ材のうちで、最も室内側の表層のみに蓄熱粒子が含まれているため、内装仕上げ材の複数層の全層に蓄熱粒子を含ませたものと比較して、表層よりも内側の層における熱移動が不要で、室内空気との熱移動が行いやすく、熱移動の高効率化を達成できる。これにより、省エネルギー効果の向上を図ることができる。さらに、表層よりも内側の層では、蓄熱粒子を含まないことから、表層と下地材との密着性能性を高めるなどの蓄熱以外の性能を安定させることができる。
【００１１】
請求項２に記載の発明にあっては、蓄熱粒子が、表層の室内側表面に露出されているため、蓄熱粒子がより室内側表面に配置され、熱移動の高効率化をさらに高めることができる。
【００１２】
請求項３に記載の発明では、表層に蓄熱粒子が混入された塗料を吹き付けたため、意匠のための塗料に上記請求項２に記載の発明の効果を付加させることができ、多機能の融合化を図ることができる。
【発明を実施するための最良の形態】
【００１３】
以下、本発明の実施の形態を図面に基づいて説明する。
【００１４】
（実施の形態１）
図２は、この発明の実施の形態１の内装材１を有する建物Aの要部を示している。この建物Aの室内空間Ｒは、床２と壁３と天井４で囲まれている。
【００１５】
壁３は、最も屋外側に配置された外装材３１と、この外装材３１の室内側を覆って設けられた断熱材３２と、この断熱材３２の室内側を覆って設けられた実施の形態１の内装材１とを備えている。
【００１６】
内装材１は、図１に示すように、断熱材３２の室内側を覆って設けられた壁下地材１１と、この壁下地材１１の室内側表面に積層された３層の湿式の内装仕上げ材１２とを備えている。
【００１７】
内装仕上げ材１２は、いわゆる塗り壁で、図１に示すように、壁下地材１１の側から室内側へ、下塗り層１２１，中塗り層１２２，仕上げ層（表層）１２３を順に重ね塗りして形成されている。
【００１８】
なお、下塗り層１２１および中塗り層１２２は、壁下地材１１と仕上げ層１２３との密着を図るもので、例えば、例えば、エポキシ系・塩化ゴム系・アクリル系の塗り材を用いることができる。
【００１９】
仕上げ層１２３は、意匠的に優れかつ調湿性に優れた、例えば、珪藻土・砂・漆喰などの塗り壁材１２３ａに、蓄熱粒子１２３ｂを含有させたものを中塗り層１２２の表面に塗布して形成されている。なお、蓄熱粒子１２３ｂとしては、蓄熱材をマイクロカプセルに内包させたものを用いている。
【００２０】
蓄熱粒子１２３ｂを構成する蓄熱材は、室内空間の熱を吸収あるいは放出して温度を一定に保つものであり、例えば、人体に無毒で手に入りやすく、蓄熱量の大きいパラフィンや硫酸ナトリウム（Ｎａ２ＳＯ４）を用いることができる。また、本実施の形態１では、このような蓄熱粒子１２３ｂを塗り壁材１２３ａに対して略１／３の濃度で練り込んだものを使用している。
【００２１】
実施の形態１では、蓄熱粒子１２３ｂを構成する蓄熱材として蓄熱量を２０ｋｃａｌ／ｋｇのものを用いており、これをコンクリートの蓄熱量（２２６５ｋｃａｌ／ｍ３）と比較した比較対象図を図３に示している。
【００２２】
この図に示すように、蓄熱粒子１２３ｂを構成する蓄熱材の厚さ１ｍｍに相当する仕上げ層１２３の厚さを３ｍｍとすると、その蓄熱量は、厚さ９ｍｍのコンクリートに相当する。
【００２３】
以上説明したように、本実施の形態１の内装材１では、その表面に塗った内装仕上げ材１２の表面に蓄熱機能を有した仕上げ層１２３を設けたため、コンクリートと比較して、薄くて軽量で高熱容量とすることができ省エネルギー効果を得ることができる。
【００２４】
また、内装仕上げ材１２は、密着性を高める下塗り層１２１，中塗り層１２２の上に仕上げ層１２３を設けた３層構造としたため、壁下地材１１からの剥がれが生じにくく耐久性に優れ、かつ、意匠性にも優れたものとすることができる。
【００２５】
しかも、内装材１の表面に設けた３層の壁仕上げ材１２において、最も室内表面に位置する仕上げ層（表層）１２３のみに蓄熱粒子１２３ｂを含有させたため、仕上げ材１２の全層に蓄熱粒子を混入させたものと比較して、仕上げ層１２３よりも内側の層において蓄熱に関わる熱移動が不要であり、室内空気との熱移動が行いやすく、熱移動の高効率化を達成できる。
【００２６】
（実施の形態２）
次に、実施の形態２の内装材２０１について説明する。なお、実施の形態２の内装材２０１を説明するにあたり、実施の形態１と同一ないし均等な部分については、実施の形態１と同一の符号を付して、実施の形態１と相違する部分を中心として説明する。
【００２７】
この実施の形態２の内装材２０１は、３層の内装仕上げ材２１２において最も室内側の仕上げ層２２３を構成する塗り壁材１２３ａの表面に、多彩仕上げの色素粒子を着色した蓄熱粒子２２３ｂが吹き付けにより塗布されている。すなわち、意匠のための塗料に蓄熱機能を付与したものを吹き付けている。
【００２８】
この実施の形態２の内装材２０１では、最も室内側の仕上げ層２２３のみに蓄熱粒子２２３ｂが配置され、しかも、蓄熱粒子２２３ｂが塗り壁材１２３ａの表面に吹き付けられて室内側表面に露出されているため、蓄熱粒子２２３ｂと室内空気との熱移動がいっそう行いやすく、熱移動の高効率化をさらに高めることができる。
【００２９】
しかも、仕上げ層２２３では、意匠のための塗料に蓄熱機能を付与したため、多機能の融合化を図ることができる。
【００３０】
以上、図面を参照して、本発明の実施の形態１，２を詳述してきたが、具体的な構成は、この実施の形態１，２に限らず、本発明の要旨を逸脱しない程度の設計的変更は、本発明に含まれる。
【００３１】
すなわち、実施の形態１，２では、内装材１，２０１として壁３に設けたものを示したが、天井４など他の部位に適用してもよい。
【００３２】
また、実施の形態１，２では、内装材１，２０１として、複数層の内装仕上げ材１２，２１２が壁下地材１１の室内側表面に設けられたものを示したが、内装材としては、複数層の内装仕上げ材を有するものであれば、壁下地材１１を有するものに限定されるものではない。例えば、内装材を複数層の内装仕上げ材のみで構成することができるもので、コンクリートなどの壁や天井を構成する部材に、このような複数層の内装仕上げ材を直接設けてもよい。
【００３３】
また、実施の形態１，２では、内装仕上げ材１２，２１２として、３層のものを示したが、複数層であれば２層など３層に限られるものではない。
【００３４】
また、実施の形態２では、蓄熱粒子２２３ｂを表層としての仕上げ層２２３の室内側表面に露出させるにあたり、吹き付けを行った例を示したが、蓄熱粒子２２３ｂが室内側に露出する手段で有れば、刷毛塗り・ローラ塗りなど吹き付け以外の手段を用いてもよい。
【図面の簡単な説明】
【００３５】
【図１】本発明の実施の形態１の内装材１を示す図２の要部を拡大した断面図である。
【図２】本発明の実施の形態１の内装材１を適用した建物Ａの要部を示す断面図である。
【図３】本発明の実施の形態１の内装材１とコンクリートとの蓄熱量を比較した比較対象図である。
【図４】本発明の実施の形態２の内装材２０１を示す断面図である。
【符号の説明】
【００３６】
１     内装材
１１   壁下地材
１２   内装仕上げ材
１２１ 下塗り層
１２２ 中塗り層
１２３ 仕上げ層（表層）
１２３ｂ蓄熱粒子
２０１ 内装材
２１２ 内装仕上げ材
２２３ 仕上げ層
２２３ｂ蓄熱粒子
【図１】
2007100335.tif 000003
【図２】
2007100335.tif 000004
【図３】
2007100335.tif 000005
【図４】
2007100335.tif 000006